(57)【特許請求の範囲】
【請求項１】
弾性材料から構成されて一方を開口すると共に当該開口側と反対側に突出する１または２以上の容器部と、弾性材料から構成されて当該容器部の開口部からその径方向外側に延出して形成される弾性フランジ部とを連接して成り、前記容器部の内側、外側若しくは内部に、前記容器部の前記開口部の方向に開口部を備える有底カップ形状の補強部材を有する防水部材と、
前記防水部材より外方側にあって、前記容器部と対向する位置に貫通孔を備えるカバー部材と、
前記貫通孔から外方向に突出するキートップおよび前記容器部に挿入される軸部を有し、前記容器部に向かって駆動可能な押釦と、
を備え、
前記容器部の外側面と、前記防水部材より内方側にあって前記容器部を挿入する筺体の挿通口の内側との間で防水を図る防水機構部を有し、
前記軸部からの押圧を受けた前記容器部の底部によって前記容器部の下方に配置されるスイッチをオンにし、
前記防水機構部は、前記容器部の外側面に沿って連続形成され、前記挿通口の内壁に圧接する環状リブを備えることを特徴とする防水用押釦スイッチ部材。
【請求項２】
弾性材料から構成されて一方を開口すると共に当該開口側と反対側に突出する１または２以上の容器部と、弾性材料から構成されて当該容器部の開口部からその径方向外側に延出して形成される弾性フランジ部とを連接して成り、前記容器部の内側、外側若しくは内部に、前記容器部の前記開口部の方向に開口部を備える有底カップ形状の補強部材を有する防水部材と、
前記防水部材より外方側にあって、前記容器部と対向する位置に貫通孔を備えるカバー部材と、
前記貫通孔から外方向に突出するキートップおよび前記容器部に挿入される軸部を有し、前記容器部に向かって駆動可能な押釦と、
を備え、
前記容器部の外側面と、前記防水部材より内方側にあって前記容器部を挿入する筺体の挿通口の内側との間で防水を図る防水機構部を有し、
前記軸部からの押圧を受けた前記容器部の底部によって前記容器部の下方に配置されるスイッチをオンにし、
前記防水機構部は、
前記容器部の外側面に沿って連続形成される環状嵌合突出部と、
前記挿通口の内壁に沿って連続形成され上記環状嵌合突出部と嵌合する環状嵌合溝と、
を備えることを特徴とする請求項１に記載の防水用押釦スイッチ部材。
【請求項３】
請求項１または請求項２に記載の防水用押釦スイッチ部材を備えることを特徴とする電子機器。
【発明の詳細な説明】
【技術分野】
【０００１】
本発明は、防水用押釦スイッチ部材およびそれを備える電子機器に関する。
【背景技術】
【０００２】
最近、携帯電話、携帯端末（ＰＤＡ）等の小型の電子機器に対する防水機能の要求が大きくなってきている。かかる機器における浸水箇所は多数存在するが、その主な箇所は、押釦を外に露出させるために設けられた複数の開口部である。当該開口部からの浸水は、機器内部の電気ショートを招き、機器の信用を低下させるおそれがある。そこで、かかる問題をできるだけ生じないようにするため、押釦と機器内部の回路基板上のスイッチとの間に弾性部材を介在させ、開口部と弾性体との接触箇所の一部を密着させる防水構造が知られている（例えば、特許文献１を参照）。
【０００３】
特許文献１に開示される防水構造は、開口側を機器の外側に向けるように貫通孔に装着される弾性材料から成るカップ部材と、当該カップ部材の開口に挿入される軸部を備える押釦とを備え、カップ部材の内側に樹脂若しくは金属製の筒状ホルダを装着したものである。筒状ホルダの存在によって、カップ部材の形状を保持して貫通孔とカップ部材との密着性を維持することができ、また、かかる防水構造を持つ押釦スイッチ部材を機器に組み込む作業も容易になる。
【先行技術文献】
【特許文献】
【０００４】
【特許文献１】特開２００６−３４４５２８号公報
【発明の概要】
【発明が解決しようとする課題】
【０００５】
しかし、上記のような従来の防水構造には、次のような解決すべき問題がある。当該防水構造は、筒状ホルダを補強部材として、弾性材料から成るカップ部材の内側に装着したものである。押釦の押し込みの際、カップ部材の底部が伸びて、カップ部材の底部越しに押釦が当該底部の下方に配置されるスイッチを押す。かかる押釦の押圧操作を繰り返すと、カップ部材の底部あるいは底部と側面との境界部分が破れやすくなる。この結果、防水性が損なわれる。
【０００６】
カップ部材の耐久性を向上するために、カップ部材の底部の厚さを過度に大きくする方法も考えられるが、当該厚さが増すほど、押釦の押圧によって底部越しにスイッチを押した際の押圧感が悪くなるという別の問題が生じる。
【０００７】
本発明は、かかる問題を解消すべくなされたものであって、高い防水性と良好な押圧感を両立することを目的とする。
【課題を解決するための手段】
【０００８】
上記目的を達成するための本発明の一実施形態は、弾性材料から構成されて一方を開口すると共に開口側と反対側に突出する１または２以上の容器部と、弾性材料から構成されて容器部の開口部からその径方向外側に延出して形成される弾性フランジ部とを連接して成り、容器部の内側、外側若しくは内部に、容器部の開口部の方向に開口部を備える有底カップ形状の補強部材を有する防水部材と、防水部材より外方側にあって容器部と対向する位置に貫通孔を備えるカバー部材と、貫通孔から外方向に突出するキートップおよび容器部に挿入される軸部を有し、容器部に向かって駆動可能な押釦と、を備え、容器部の外側面と、防水部材より内方側にあって容器部を挿入する筺体の挿通口の内側との間で防水を図る防水機構部を有し、軸部からの押圧を受けた容器部の底部によって容器部の下方に配置されるスイッチをオンにする防水用押釦スイッチ部材である。
【０００９】
本発明の別の実施形態は、上記形態において、防水機構部には、容器部の外側面に沿って連続形成され、挿通口の内壁に圧接する環状リブを備える防水用押釦スイッチ部材である。
【００１０】
本発明の別の実施形態は、上記形態において、防水機構部には、容器部の外側面に沿って連続形成される環状嵌合突出部と、挿通口の内壁に沿って連続形成され環状嵌合突出部と嵌合する環状嵌合溝と、を備える防水用押釦スイッチ部材である。
【００１１】
本発明の一形態は、上記いずれかの防水用押釦スイッチ部材を備える電子機器である。
【発明の効果】
【００１２】
本発明によれば、高い防水性と良好な押圧感を両立することができる。
【図面の簡単な説明】
【００１３】
【図１】図１は、第一の実施の形態に係る防水用押釦スイッチ部材を備える電子機器の斜視図を示す。
【図２】図２は、図１に示す防水用押釦スイッチ部材の分解斜視図を示す。
【図３】図３は、図２に示す防水用押釦スイッチ部材を構成する防水部材の斜視図を示す。
【図４】図４は、第一の実施の形態に係る防水用押釦スイッチ部材を電子機器にセットした状態における主要断面図およびその一部Ｘの拡大図を示す。
【図５】図５は、第二の実施の形態に係る防水用押釦スイッチ部材を電子機器にセットした状態における主要断面図およびその一部Ｙの拡大図を示す。
【図６】図６は、図５に示す防水用押釦スイッチ部材において、押釦を押す前後の防水機構部の状態の変化を示す部分断面図である。
【図７】図７は、図４に示す筐体の挿通口の変形例の断面図およびその一部Ｚの拡大図を示す。
【発明を実施するための形態】
【００１４】
次に、本発明の防水用押釦スイッチ部材およびそれを備える電子機器の各実施の形態について、図面を参照しながら説明する。以後の説明では、電子機器として携帯通信端末を例示するが、電子機器は、携帯電話機器、リモートコントローラー、小型テレビ受像機等の他の機器も含めるように広義に解釈される。
【００１５】
１．第一の実施の形態
図１は、第一の実施の形態に係る防水用押釦スイッチ部材を備える電子機器の斜視図を示す。  
【００１６】
本発明の第一の実施の形態に係る電子機器１は、その側面に凹部２を備えている。凹部２は、第一の実施の形態に係る防水用押釦スイッチ部材３を嵌め込み可能な形態を備える。なお、凹部２は、電子機器１の側面に限定されず、表示部を配置した表側の面あるいは電子機器１の裏側の面に形成されても良い。したがって、防水用押釦スイッチ部材３も、また、電子機器１の表側あるいは裏側の面に備えても良い。
【００１７】
図２は、図１に示す防水用押釦スイッチ部材の分解斜視図を示す。図３は、図２に示す防水用押釦スイッチ部材を構成する防水部材の斜視図を示す。
【００１８】
防水用押釦スイッチ部材３は、電子機器１にはめ込まれた状態におけるその内方側から外方側に向かって、防水部材１０、押釦２０、カバー部材３０の順に重ねた構成を有する。防水部材１０は、弾性材料から構成されて一方を開口すると共に開口側と反対側に突出する３個の容器部１０ａと、弾性材料から構成されて容器部１０ａの開口部１２からその径方向外側に延出して形成される弾性フランジ部１０ｂとを連接して成る。弾性フランジ部１０ｂおよび容器部１０ａは、それぞれ別体にて構成されているものを接着して防水部材１０を構成しても良く、また、一体として防水部材１０を構成しても良い。製造工程の簡略化および低コスト化の観点から、後者のように弾性フランジ部１０ｂおよび容器部１０ａを一体成形して防水部材１０を構成する方が好ましい。
【００１９】
この実施の形態において、弾性フランジ部１０ｂは、薄厚で細長い形態を有しており、その長さ方向に３個の容器部１０ａを直列に配置する。ただし、弾性フランジ部１０ｂの形態は、上記形態に限定されず、円、正方形あるいは十字形等の如何なる形態でも良い。また、容器部１０ａの配列、数、大きさについても、同様に如何なる配列、数、大きさでも良い。防水部材１０を構成する弾性材料は、熱可塑性エラストマー、熱硬化性エラストマーあるいは天然ゴム等から好適に成り、その中でもより好適には熱硬化性エラストマーの一種であるシリコーンゴムから成る。
【００２０】
押釦２０は、カバー部材３０から一部を露出して、防水部材１０の容器部１０ａに向かって駆動可能な部材であって、容器部１０ａの数と同数の３個備えられる。押釦２０は、フランジ部２１と、フランジ部２１の一方の平面から突出すると共にフランジ部２１よりも小径の底面を有するキートップ２２と、フランジ部２１のキートップ２２と反対側にある他方の平面から突出すると共にフランジ部２１よりも小径の底面を有する軸部２３と、を備える。フランジ部２１、キートップ２２および軸部２３は、それぞれ別体にて構成されているものを接着して押釦２０を構成しても良く、また、一体として押釦２０を構成しても良い。製造工程の簡略化および低コスト化の観点から、後者のように一体成形によって押釦２０を構成する方が好ましい。なお、押釦２０は、軸部２３およびキートップ２２をそれぞれ１個ずつ備える形態に限定されず、軸部２３を複数備えた樹脂シートや弾性シート上に、１つまたは複数のキートップ２２を備える形態であっても良い。この実施の形態において、フランジ部２１は、薄厚の円板形状を有する。また、キートップ２２は、フランジ部２１から徐々に水平断面を小さくする台形形状を有し、その高さ方向の大部分を、カバー部材３０の貫通孔（後述する）から挿通できる形態を有する。軸部２３は、防水部材１０の容器部１０ａの開口部１２から挿入可能な径を有し、かつ容器部１０ａの底部に接触して、押釦２０の押し込みによってスイッチをオンにすることが可能な駆動量を確保するのに十分な長さを有する。軸部２３は、フランジ部２１からその反対方向に向かって徐々に水平断面を小さくする台形形状を有する。押釦２０は、キートップ２２をカバー部材３０の内側から外側に向かって貫通させ、軸部２３を容器部１０ａ内に挿入した状態で、防水用押釦スイッチ部材３に配置される。
【００２１】
フランジ部２１の形状は、円板以外の形状、例えば、矩形や三角形の板状体でも良い。また、キートップ２２および軸部２３は、台形以外の形状、例えば、円柱形状、直方体形状でも良い。押釦２０は、防水部材１０よりも硬質の材料、例えば、樹脂、金属、セラミックス、黒鉛等から好適に構成される。金属としては、ステンレススチール、アルミニウム、アルミニウム合金、鉄等を例示できる。樹脂としては、アクリル、ポリプロピレン（ＰＰ）、ポリエチレンテレフタレート（ＰＥＴ）、ポリブチレンテレフタレート（ＰＢＴ）、ポリアミド（ＰＡ）、ポリカーボネート（ＰＣ）、あるいは２種以上の樹脂からなるポリマーアロイ等を例示できる。セラミックスとしては、アルミナ、窒化珪素、ジルコニア等を例示できる。
【００２２】
図３に示すように、各容器部１０ａは、その外側面の周面に沿って連続形成される環状リブ１３を備える。環状リブ１３は、電子機器１の内方に配置される筺体との間で防水を図る防水機構部の一例である。環状リブ１３は、好適には、容器部１０ａの開口部１２と平行に形成される。ただし、環状リブ１３を開口部１２と非平行に形成することもできる。環状リブ１３は、容器部１０ａと別体に構成され、容器部１０ａに接着されても良く、また、環状リブ１３を一体化した容器部１０ａを製造しても良い。高い防水性、製造工程の簡略化および低コスト化を図る観点から、後者のように、環状リブ１３を一体成形して容器部１０ａを構成する方が好ましい。環状リブ１３については、後ほど詳述する。
【００２３】
カバー部材３０は、防水部材１０より外方側にあって、防水部材１０より硬質の材料、例えば、上記例示の押釦２０の構成材料の選択肢の１つ若しくは２以上の組み合わせから好適に構成される。また、カバー部材３０を防水部材１０と同じ材料（弾性材料）から構成することもできる。カバー部材３０は、防水部材１０と同じ細長い形態を備える。カバー部材３０は、各押釦２０のキートップ２２を挿通可能であるがフランジ２１を挿通しない大きさの貫通孔３１を、各容器部１０ａと対向する位置に、カバー部材３０の長さ方向に直列に備える。カバー部材３０は、防水部材１０と好適には嵌め込み式で固定可能な形態を備えるが、接着やビス止め等により防水部材１０と固定可能であっても良い。さらには、カバー部材３０は、電子機器１の内方の筐体と固定可能であって、防水部材１０を単に挟み込むようにしても良い。
【００２４】
図４は、第一の実施の形態に係る防水用押釦スイッチ部材を電子機器にセットした状態における主要断面図およびその一部Ｘの拡大図を示す。
【００２５】
防水部材１０は、容器部１０ａを電子機器１内部の筐体４０に形成された挿通口４１に挿入させ、弾性フランジ部１０ｂを筐体４０の外面に載置した状態にて配置される。容器部１０ａは、その内側に、補強部材５０を挿入した状態で配置する。補強部材５０は、容器部１０ａの開口部１２の方向に開口部を備える有底カップ形状の部材であり、その底部を容器部１０ａの底部に接する状態にて、容器部１０ａの内側に固定される。図４の一部Ｘの拡大図に示すように、容器部１０ａは、環状リブ１３を筐体４０の挿通口４１の内壁に圧接した状態で、挿通口４１内に配置される。環状リブ１３と筐体４０の挿通口４１の内壁は、ともに防水機構部を構成する。補強部材５０は、有底カップ形状の部材であるため、容器部１０ａの径方向の形状を保持する機能を持つ。したがって、環状リブ１３と挿通口４１との密着性を常に保持することができる。補強部材５０は、上記以外の機能の他、容器部１０ａを筐体４０の挿通口４１に挿入しやすくする機能、押釦２０の押圧によって、軸部２３が容器部１０ａの底を破かないようにする機能を併せ持つ。さらに、後述するように、軸部２３が補強部材５０の底部を押して、容器部１０ａによってその下方に配置されるスイッチが押し込まれる際に、補強部材５０は、良好な押圧感を使用者に与えるという機能も有する。
【００２６】
かかる機能を発揮するための補強部材５０は、防水部材１０よりも硬質の材料、例えば、樹脂、金属、セラミックス、黒鉛等から好適に構成される。金属としては、ステンレススチール、アルミニウム、アルミニウム合金、鉄等を例示できる。樹脂としては、アクリル、ポリプロピレン（ＰＰ）、ポリエチレンテレフタレート（ＰＥＴ）、ポリブチレンテレフタレート（ＰＢＴ）、ポリアミド（ＰＡ）、ポリカーボネート（ＰＣ）、あるいは２種以上の樹脂からなるポリマーアロイ等を例示できる。セラミックスとしては、アルミナ、窒化珪素、ジルコニア等を例示できる。軽薄短小化を図る場合には、剛性の高い金属部材にて補強部材５０を構成するのが好ましく、また、キートップ２２を内方側から照光する場合には透過性の高い樹脂にて補強部材５０を構成するのが好ましい。
【００２７】
押釦２０は、軸部２３を容器部１０ａ内に挿入して、補強部材５０の底部に当接させて配置される。カバー部材３０は、貫通孔３１から押釦２０のキートップ２２を挿通させ、押釦２０のフランジ部２１を貫通孔３１の周囲に形成される鍔３２の裏面に当接させた状態で、防水部材１０の外側から覆い筐体４０に固定される。カバー部材３０は、貫通孔３１の外周側の裏側の面に、内方に向けて突出する環状凸部３３を備え、環状凸部３３によって弾性フランジ部１０ｂを筐体４０側に押圧するように、電子機器１にセットされる。環状凸部３３を弾性フランジ部１０ｂに強く圧接する場合には、環状凸部３３は、防水部材として機能し得る。しかし、容器部１０ａに形成される環状リブ１３と筐体４０の挿通口４１の内壁との圧接によって防水を図っているので、環状凸部３３による防水は必須ではない。したがって、環状凸部３３をカバー部材３０に形成していなくても良い。
【００２８】
筐体４０より内方には、回路基板６０が配置される。回路基板６０は、その表側の面に、スイッチ基板６１を備える。スイッチ基板６１は、筐体４０の挿通口４１の下方位置に、スイッチの一例であるドームスイッチ６２を備える。ドームスイッチ６２は、導電性に優れた材料、例えば、スチールから成る。ドームスイッチ６２の環状下端は、スイッチ基板６１上に形成された電極６３に、電気的に接続される。また、スイッチ基板６１上であって、ドームスイッチ６２の凸部の直下位置には、電極６３と電気的に非接触状態の電極６４が配置される。ドームスイッチ６２は、スイッチ基板６１と固定するため、その上方の容器部１０ａと接触する領域を除く領域およびスイッチ基板６１をシート６５によって覆われる。容器部１０ａと接触する領域を除いてシート６５を被せているのは、軸部２３とドームスイッチ６２との間に挟まれる部材に、できるだけ柔らかい材料を介在させないようにして、良好な押圧感を使用者に与えるためである。
【００２９】
電子機器１の内部および防水用押釦スイッチ部材３を上記の構成とすると、キートップ２２を電子機器１の内方に向けて押し込んだ際に、軸部２３が補強部材５０越しに容器部１０ａの底部を内方に押す。すると、防水部材１０の弾性フランジ部１０ｂと容器部１０ａとの接続領域が伸びて、容器部１０ａが電子機器１の内方側に移動し、ドームスイッチ６２をへこませる。この結果、電極６３と電極６４は、ドームスイッチ６２を介して電気的に接続され、スイッチがオンになる。なお、軸部２３がドームスイッチ６２をへこませてスイッチをオンにするまで、フランジ部２１が弾性フランジ部１０ｂに接触しないように、カバー部材３０の鍔３２から弾性フランジ部１０ｂまでの距離は、軸部２３の可動距離よりも長い。容器部１０ａが内方側に移動する際、環状リブ１３は、挿通口４１の内壁との間で圧接状態を保持しながら、電子機器１の内方に向かって挿通口４１を移動する。このため、押釦２０の押圧操作時にも高い防水性を発揮できる。
【００３０】
キートップ２２を電子機器１の内方側に向けて押し込んだ後、その押圧を解除すると、ドームスイッチ６２がその弾性によって元の状態に戻ろうとする。同時に、容器部１０ａの開口部１２周囲の弾性フランジ部１０ｂも、伸びた状態から元の状態に戻ろうとする。その結果、押釦２０と容器部１０ａは電子機器１の外方側に移動する。電極６３と電極６４は、ドームスイッチ６２が元の形状に戻ることによって電気的に非接触状態に戻り、スイッチがオフになる。なお、上述のスイッチのオンまたはオフは、上記と逆であっても良い。
【００３１】
２．第二の実施の形態
次に、本発明の第二の実施の形態に係る防水用押釦スイッチ部材およびそれを備える電子機器について説明する。第二の実施の形態において、上述の実施の形態と共通する部分については、同じ符号を付し、また、重複した説明を省略する。第二の実施の形態に係る防水用押釦スイッチ部材が第一の実施の形態に係るそれと異なる点は、防水機構部の形態であり、それ以外については第一の実施の形態と共通する。
【００３２】
図５は、第二の実施の形態に係る防水用押釦スイッチ部材を電子機器にセットした状態における主要断面図およびその一部Ｙの拡大図を示す。
【００３３】
図５の一部Ｙの拡大図に示すように、容器部１０ａは、その外側面に、周面に沿って連続形成される環状嵌合突出部１５を備える。環状嵌合突出部１５は、好適には、容器部１０ａの開口部１２と平行に形成される。筐体４０の挿通口４１は、その内壁に沿って連続形成される環状嵌合溝４２を備える。環状嵌合溝４２は、環状嵌合突出部１５と嵌合する形態を有する。環状嵌合溝４２と環状嵌合突出部１５は、密接して、それより内方への防水を図る防水機構部の一例である。容器部１０ａは、環状嵌合突出部１５を環状嵌合溝４２に嵌合した状態で、筐体４０の挿通口４１内に配置される。補強部材５０は、有底カップ形状の部材であるため、容器部１０ａの径方向の形状を保持する機能を持つ。したがって、環状嵌合突出部１５と環状嵌合溝４２との密着性を常に保持することができる。環状嵌合突出部１５は、好適には、容器部１０ａの外側面から径方向外側に向かった端部を厚くし、当該端部より径方向内側に向かった位置を当該端部より薄くしたネック部１６を備える。特に、環状嵌合突出部１５の端部を環状嵌合溝４２内に嵌め込み、ネック部１６を環状嵌合溝４２の開口部近傍に位置するように、環状嵌合突出部１５を構成するのが好ましい。また、環状嵌合突出部１５を、第一の実施の形態における環状リブ１３と同様にネック部１６を持たない突出形状とする共に、環状嵌合溝４２をその開口部分にくびれを持たない形状とし、押釦２０の押し込みおよびその解除に伴い、環状嵌合突出部１５が特定の部位から折れ曲がることなく環状嵌合溝４２内にて上下可動としても良い。
【００３４】
図６は、図５に示す防水用押釦スイッチ部材において、押釦を押す前後の防水機構部の状態の変化を示す部分断面図である。
【００３５】
キートップ２２を電子機器１の内方に向けて押し込むと、軸部２３が補強部材５０越しに容器部１０ａの底部を内方に押す。すると、防水部材１０の弾性フランジ部１０ｂと容器部１０ａとの接続領域が伸びて、容器部１０ａが電子機器１の内方側に移動し、ドームスイッチ６２をへこませる。この結果、電極６３と電極６４は、ドームスイッチ６２を介して電気的に接続され、スイッチがオンになる。この際、容器部１０ａの環状嵌合突出部１５は、図６に示すように、その端部を環状嵌合溝４２内に保持した状態で、ネック部１６から曲がり、容器部１０ａの電子機器１内方への移動（黒矢印方向への移動）を許容する。環状嵌合突出部１５は、容器部１０ａの内方への移動の際に、環状嵌合溝４２から外れないための十分な長さと柔軟性を有する。環状嵌合突出部１５は、容器部１０ａと別体にて容器部１０ａの外側壁に接着されても良いが、高い防水性、高い強度、製造工程の簡略化および低コスト化を図る観点から、一体成形によって容器部１０ａと一体に製造される方が好ましい。
【００３６】
キートップ２２を電子機器１の内方側に向けて押し込んだ後、その押圧を解除すると、ドームスイッチ６２がその弾性によって元の状態に戻ろうとする。同時に、容器部１０ａの開口部１２周囲の弾性フランジ部１０ｂも伸びた状態から元の状態に戻ろうとし、環状嵌合突出部１５も元の状態に戻ろうとする。その結果、押釦２０と容器部１０ａは電子機器１の外方側に移動する。
【００３７】
３．その他の実施の形態
以上、本発明に係る防水用押釦スイッチ部材およびそれを用いる電子機器の各実施の形態を説明してきたが、本発明は、上記の各実施の形態に限定されることなく、種々変形して実施可能である。
【００３８】
図７は、図４に示す筐体の挿通口の変形例の断面図およびその一部Ｚの拡大図を示す。
【００３９】
図４に示す筐体４０の挿通口４１は、凹凸のない内側面を有するものであるが、図７に示すように、挿通口４１からその径方向内側に、容器部１０ａの環状リブ１３より外方向に環状の突出部４５を設け、容器部１０ａが外方向に抜けるのを防止しても良い。この場合、防水部材１０を筐体４０にセットする際には、環状リブ１３をその径方向内側に変形させながら、挿通口４１の突出部４５を乗り越えるが、一旦、乗り越えた後には、容器部１０ａに対して極めて大きな引き抜き力を加えない限り、容器部１０ａは挿通口４１から容易に抜けない。なお、突出部４５は、挿通口４１の外側開口部に、鍔部として形成しても良い。さらに、突出部４５は、必ずしも、環状に連続形成される必要はなく、挿通口４１の内周において部分的に突出する構成でも良い。
【００４０】
補強部材５０は、容器部１０ａの内側に固定されているが、容器部１０ａの内部に埋設され、あるいは容器部１０ａの外側に固定されていても良い。強部材５０を容器部１０ａの内側に固定せず、単に配置するだけでも良い。また、ドームスイッチ６２以外のスイッチ、例えば、タクトスイッチ等を筐体４０より電子機器１の内方に配置しても良い。その場合、押釦２０は、押圧後にその押圧を解除した際、もっぱら防水部材１０の弾性変形によって元の位置に戻る。
【００４１】
防水機構部の一例である環状嵌合突出部１５と環状嵌合溝４２との組み合わせを維持したまま、容器部１０ａ側に環状嵌合溝４２を、筐体４０の挿通口４１の内壁側に環状嵌合突出部１５を、それぞれ形成し、第二の実施の形態における凹凸関係を逆にしても良い。
【産業上の利用可能性】
【００４２】
本発明は、防水機器に組み込まれる押釦スイッチ部材として利用することができる。
【符号の説明】
【００４３】
１      電子機器
３      防水用押釦スイッチ部材
１０    防水部材
１０ａ  容器部
１０ｂ  弾性フランジ部
１２    開口部
１３    環状リブ（防水機構部の例示的構成）
１５    環状嵌合突出部（防水機構部の例示的構成）
２０    押釦
２２    キートップ
２３    軸部
３０    カバー部材
３１    貫通孔
４０    筺体
４１    挿通口
４２    環状嵌合溝（防水機構部の例示的構成）
５０    補強部材
６２    ドームスイッチ（スイッチの一例）
【図１】
0005722199.tif 000002
【図２】
0005722199.tif 000003
【図３】
0005722199.tif 000004
【図４】
0005722199.tif 000005
【図５】
0005722199.tif 000006
【図６】
0005722199.tif 000007
【図７】
0005722199.tif 000008